(57)【特許請求の範囲】
【請求項１】
原水の浄化を行う浄水部と、この浄水部で浄化された浄水を貯留する浄水貯留部と、洗浄用の薬液を貯留する薬液貯留部と、浄水部から浄水貯留部に浄水を移送する浄水移送ラインと、浄水移送ラインの途中に設けられた浄水移送弁と、カレンダータイマを有する制御機構とを具備し、
前記制御機構が、前記浄水部への原水の供給開始と、前記浄水部への原水の供給停止と、前記浄水移送弁の開閉と、前記薬液貯留部から前記浄水部への薬液の供給開始と、前記浄水部からの薬液および浄水の排出開始とを、前記カレンダータイマに設定された任意の日時に行わせることができることを特徴とする浄水システム。
【請求項２】
前記制御機構が、さらに、前記浄水貯留部への薬液の供給開始と、前記浄水貯留部からの薬液および浄水の排出開始とを、前記カレンダータイマに設定された任意の日時に行わせることができることを特徴とする、請求項１に記載の浄水システム。
【請求項３】
さらに、浄水貯留部から浄水を取り出す浄水取出ラインと、
一端が前記浄水取出ラインから分岐し、他端が前記浄水貯留部に接続する浄水循環ラインと、
浄水部から原水を排出する原水排出ラインと、
一端が前記浄水移送ラインまたは前記原水排出ラインから分岐し、他端が前記薬液貯留部に接続する薬液返送ラインとを具備する、請求項１または２に記載の浄水システム。
【請求項４】
原水の浄化を行う浄水部と、この浄水部で浄化された浄水を貯留する浄水貯留部と、洗浄用の薬液を貯留する薬液貯留部と、浄水部から浄水貯留部に浄水を移送する浄水移送ラインと、浄水移送ラインの途中に設けられた浄水移送弁と、カレンダータイマを有する制御機構とを具備した浄水システムの洗浄方法であって、
前記カレンダータイマに設定された任意の日時に、前記浄水部への原水の供給を前記制御機構によって自動的に停止させて、浄水の製造を中止し、
前記浄水移送弁の閉塞と、前記薬液貯留部から前記浄水部への薬液の供給と、前記浄水部からの薬液および浄水の排出とを前記制御機構によって前記カレンダータイマに設定された任意の日時に自動的に開始させて、薬液による前記浄水部の洗浄を所定時間行うことを特徴とする浄水システムの洗浄方法。
【請求項５】
前記浄水部と、一端が浄水部の下流側に設けられた浄水移送ラインまたは原水排出ラインのいずれかから分岐し、他端が前記薬液貯留部に接続された薬液返送ラインとの間で薬液を循環させて前記浄水部を洗浄する、請求項４に記載の浄水システムの洗浄方法。
【請求項６】
原水の浄化を行う浄水部と、この浄水部で浄化された浄水を貯留する浄水貯留部と、洗浄用の薬液を貯留する薬液貯留部と、浄水部から浄水貯留部に浄水を移送する浄水移送ラインと、浄水移送ラインの途中に設けられた浄水移送弁と、カレンダータイマを有する制御機構とを具備した浄水システムの洗浄方法であって、
前記カレンダータイマに設定された任意の日時に、前記浄水部への原水の供給を前記制御機構によって自動的に停止させて、浄水の製造を中止し、
前記浄水移送弁の閉塞と、前記薬液貯留部から前記浄水部への薬液の供給と、前記浄水移送弁の開放による前記浄水部から前記浄水貯留部への薬液の送液と、前記浄水貯留部からの薬液および浄水の排出とを前記制御機構によって前記カレンダータイマに設定された任意の日時に自動的に開始させて、薬液による前記浄水部および前記浄水貯留部の洗浄をそれぞれ所定時間行うことを特徴とする浄水システムの洗浄方法。
【請求項７】
前記浄水貯留部と、一端が前記浄水貯留部の下流側に設けられた浄水取出ラインから分岐し、他端が前記浄水貯留部に接続された浄水循環ラインとの間で、薬液および浄水を循環させて前記浄水貯留部を洗浄する、請求項６に記載の浄水システムの洗浄方法。
【発明の詳細な説明】
【０００１】
【発明の属する技術分野】
本発明は、原水を浄化して無菌水、高純度水、イオン交換水、飲料水などを製造する浄水システムに関し、詳しくは、浄水非使用時の任意の日時に薬液によるシステムの洗浄を自動で行うことができる浄水システムに関する。
【０００２】
【従来の技術】
不純物を含む原水を浄化して無菌水、高純度水、イオン交換水、飲料水などを製造する浄水システムは、幅広い分野で利用されている。
例えば、病院などにおいては、手術用器具の洗浄、手術前の手洗い、人工透析、各種検査などに使用される無菌水を製造する浄水システムが設置され、半導体などの電子部品の製造工場などにおいては高純度水を製造する浄水システムが設置され、一般家庭などにおいては、水道水中の塩素や浮遊物を除去する浄水システムが設置されている。
【０００３】
このような浄水システムには、逆浸透膜、濾過膜、イオン交換樹脂などを有する浄水部と、多量の浄水を消費する場合は、浄水部で製造された浄水を一時貯留する浄水貯留部とが備えられている。この浄水システムにおいては、浄水部の機能維持および浄水の品質維持のために、浄水システム自体の定期的な洗浄が必要である。
【０００４】
例えば、無菌水を製造する浄水システムにおいては、浄水貯留部の滞留水における細菌の繁殖や、手術室のシャワー等の端末部からの細菌汚染を防止するために、浄水貯留部に循環ラインなどを設けて浄水貯留部の無菌水を常時流動させたり、浄水貯留部に紫外線殺菌ランプを設けるなどの対策を施している。しかしながら、近年、細菌の死骸から発生するパイロージェンなどの発熱因子による後汚染が重要視されてきており、このようなパイロージェンなどの発生を抑制するためには、浄水貯留部の無菌状態を高度に常時保つ必要がある。このような理由から、特に無菌水を製造する浄水システムにおいては、浄水部の逆浸透膜と浄水貯留部の薬液を用いた定期的な洗浄、消毒が必要とされる。
【０００５】
しかしながら、浄水システムの洗浄を行うためには、各種バルブの開閉などの複雑な操作が必要な上、洗浄時間に長い時間が必要とされるため、洗浄の実施に多大な労力がかかるという問題があった。
このような問題を解決するために、洗浄運転開始のスイッチ操作のみで浄化システムの洗浄運転を開始し、自動的に洗浄運転を行った後、自動的に通常の浄水運転に切り換えることが可能な自動薬洗型逆浸透装置が、実開昭６０−５８２９８号公報で提案されている。
【０００６】
【発明が解決しようとする課題】
しかしながら、この自動薬洗型逆浸透装置においては、自動的に洗浄できるのは浄水部の逆浸透膜付近のみであり、浄水貯留部の自動洗浄はできなかった。
また、逆浸透装置などの浄水システムの洗浄は、通常、休日などの無菌水を使用しない日に実施することが多い。そのため、この逆浸透装置の洗浄を行うために、担当者は休日出勤をして、洗浄運転開始のスイッチ操作を行わなければならず、逆浸透装置の運転コストの増加の一因となっていた。
また、この逆浸透装置は、浄水システムの洗浄を行わない場合でも、休日などの無菌水を使用しない日には、浄水製造運転停止のスイッチ操作を行わなければならなかった。
【０００７】
よって、本発明の課題は、浄水の製造開始、浄水の製造停止、浄水部および浄水貯留部の洗浄を任意の日時に自動的に行うことができる浄水システムおよびこの浄水システムの洗浄方法を提供することにある。
【０００８】
【課題を解決するための手段】
すなわち、本発明の浄水システムは、原水の浄化を行う浄水部と、この浄水部で浄化された浄水を貯留する浄水貯留部と、洗浄用の薬液を貯留する薬液貯留部と、浄水部から浄水貯留部に浄水を移送する浄水移送ラインと、浄水移送ラインの途中に設けられた浄水移送弁と、カレンダータイマを有する制御機構とを具備し、前記制御機構が、前記浄水部への原水の供給開始と、前記浄水部への原水の供給停止と、前記浄水移送弁の開閉と、前記薬液貯留部から前記浄水部への薬液の供給開始と、前記浄水部からの薬液および浄水の排出開始とを、前記カレンダータイマに設定された任意の日時に行わせることができることを特徴とする。
前記制御機構は、さらに、前記浄水貯留部への薬液の供給開始と、前記浄水貯留部からの薬液および浄水の排出開始とを、前記カレンダータイマに設定された任意の日時に行わせることができることが好ましい。
本発明の浄水システムは、さらに、浄水貯留部から浄水を取り出す浄水取出ラインと、一端が前記浄水取出ラインから分岐し、他端が前記浄水貯留部に接続する浄水循環ラインと、浄水部から原水を排出する原水排出ラインと、一端が前記浄水移送ラインまたは前記原水排出ラインから分岐し、他端が前記薬液貯留部に接続する薬液返送ラインとを具備することが好ましい。
【０００９】
また、本発明の浄水システムの洗浄方法は、原水の浄化を行う浄水部と、この浄水部で浄化された浄水を貯留する浄水貯留部と、洗浄用の薬液を貯留する薬液貯留部と、浄水部から浄水貯留部に浄水を移送する浄水移送ラインと、浄水移送ラインの途中に設けられた浄水移送弁と、カレンダータイマを有する制御機構とを具備した浄水システムの洗浄方法であって、前記カレンダータイマに設定された任意の日時に、前記浄水部への原水の供給を前記制御機構によって自動的に停止させて、浄水の製造を中止し、前記浄水移送弁の閉塞と、前記薬液貯留部から前記浄水部への薬液の供給と、前記浄水部からの薬液および浄水の排出とを前記制御機構によって前記カレンダータイマに設定された任意の日時に自動的に開始させて、薬液による前記浄水部の洗浄を所定時間行うことを特徴とする。
本発明の浄水システムの洗浄方法においては、前記浄水部と、一端が浄水部の下流側に設けられた浄水移送ラインまたは原水排出ラインのいずれかから分岐し、他端が前記薬液貯留部に接続された薬液返送ラインとの間で薬液を循環させて前記浄水部を洗浄することが好ましい。
また、本発明の浄水システムの洗浄方法は、原水の浄化を行う浄水部と、この浄水部で浄化された浄水を貯留する浄水貯留部と、洗浄用の薬液を貯留する薬液貯留部と、浄水部から浄水貯留部に浄水を移送する浄水移送ラインと、浄水移送ラインの途中に設けられた浄水移送弁と、カレンダータイマを有する制御機構とを具備した浄水システムの洗浄方法であって、前記カレンダータイマに設定された任意の日時に、前記浄水部への原水の供給を前記制御機構によって自動的に停止させて、浄水の製造を中止し、前記浄水移送弁の閉塞と、前記薬液貯留部から前記浄水部への薬液の供給と、前記浄水移送弁の開放による前記浄水部から前記浄水貯留部への薬液の送液と、前記浄水貯留部からの薬液および浄水の排出とを前記制御機構によって前記カレンダータイマに設定された任意の日時に自動的に開始させて、薬液による前記浄水部および前記浄水貯留部の洗浄をそれぞれ所定時間行うことを特徴とする。
本発明の浄水システムの洗浄方法においては、前記浄水貯留部と、一端が前記浄水貯留部の下流側に設けられた浄水取出ラインから分岐し、他端が前記浄水貯留部に接続された浄水循環ラインとの間で、薬液および浄水を循環させて前記浄水貯留部を洗浄することが好ましい。
【００１０】
【発明の実施の形態】
以下、図面を用いて本発明の浄水システムを説明する。
図１は、本発明の浄水システムの一例を示す概略図である。
この浄水システムは、主に病院などで使用される無菌水を逆浸透膜によって製造するためのシステムである。この浄水システムは、内部に逆浸透膜が設けられ、原水の浄化を行う浄水部１と、この浄水部１で浄化された浄水を貯留する浄水貯留部２と、洗浄用の薬液を貯留する薬液貯留部３と、これら浄水部１、浄水貯留部２および薬液貯留部３を接続する配管と、カレンダータイマを有する制御機構（図示略）とを具備して概略構成される。
【００１１】
前記配管は、前記浄水部１に原水を供給し、途中に原水供給弁３１が設けられた原水供給ライン１１と、前記浄水部１の逆浸透膜を透過した透過水（浄水）を浄水貯留部２に移送し、途中に浄水移送弁３２が設けられた浄水移送ライン１２と、前記浄水部１の逆浸透膜を透過しなかった原水を排出し、途中に原水排出弁３３が設けられた原水排出ライン１３と、原水排出弁３３よりも上流側の原水排出ライン１３に設けられ、浄水部１内の原水圧力を調整する調圧弁３４と、前記浄水貯留部２から浄水を取り出し、途中に浄水取出弁３５が設けられた浄水取出ライン１５と、一端が浄水取出弁３５よりも上流側の浄水取出ライン１５から分岐し、他端が前記浄水貯留部２に接続する浄水循環ライン１４と、
【００１２】
一端が原水供給弁３１よりも上流側の原水供給ライン１１から分岐し、他端が前記薬液貯留部３に接続し、途中に薬液調製弁３６が設けられた薬液調製ライン１６と、薬液調製弁３６よりも下流側の薬液調製ライン１６に設けられた吸引器３７に接続する薬液原液供給ライン１７と、一端が前記薬液貯留部３に接続し、他端が原水供給弁３１よりも下流側の原水供給ライン１１に接続し、途中に薬液供給弁３８が設けられた薬液供給ライン１８と、一端が浄水移送弁３２より上流側の浄水移送ライン１２から分岐し、他端が前記薬液貯留部３に接続し、途中に薬液返送弁３９が設けられた第一の薬液返送ライン１９と、
【００１３】
一端が浄水移送弁３２より上流側の浄水移送ライン１２から分岐し、他端が原水排出弁３３よりも下流側の前記原水排出ライン１３に接続し、途中に洗浄水排出弁４０が設けられた洗浄水排出ライン２０と、一端が原水排出弁３３と調圧弁３４の間の原水排出ライン１３から分岐し、他端が前記薬液貯留部３に接続し、途中に薬液返送弁４１が設けられた第二の薬液返送ライン２１と、一端が前記薬液貯留部３に接続し、他端が原水排出弁３３よりも下流側の原水排出ライン１３に接続し、途中に薬液排出弁４２が設けられた薬液排出ライン２２と、一端が浄水取出弁３５よりも上流側の浄水取出ライン１５より分岐し、途中に浄水排出弁４３が設けられた浄水排出ライン２３とから構成される。
【００１４】
また、前記原水供給弁３１の下流側で、かつ原水供給ライン１１と薬液供給ライン１８の合流点よりも下流側の原水供給ライン１１には、原水供給ポンプ５１が設けられ、前記浄水取出弁３５の上流側で、浄水取出ライン１５と浄水排出ライン２３の分岐点よりも上流側で、かつ浄水取出ライン１５と浄水循環ライン１４の分岐点よりも上流側の浄水取出ライン１５には、浄水送水ポンプ５２が設けられている。
さらに、前記浄水貯留部２には、浄水貯留部２の液面の高さを検知する浄水液面検知器５３および浄水貯留部２内の浄水の殺菌を行う紫外線ランプ５５が設けられ、前記薬液貯留部３には、薬液貯留部３の液面の高さを検知する薬液液面検知器５４が設けられている。
【００１５】
前記制御機構は、カレンダータイマと、処理部と、インターフェース部とから概略構成され、前記浄水部１への原水の供給開始と、前記浄水部１への原水の供給停止と、前記薬液貯留部３から前記浄水部１および前記浄水貯留部２への薬液の供給開始と、前記浄水部１または前記浄水貯留部２からの薬液および浄水の排出開始とを、前記カレンダータイマに設定された任意の日時に制御するものである。
【００１６】
前記カレンダータイマは、年月日および時刻を管理する時計部と、浄水システムの洗浄開始日時、洗浄時間の長さ等の設定を記憶する記憶部とを具備してなり、記憶部に記憶された設定日時に電気信号を発信できるようにされている。
前記インターフェイス部は、前記配管に設けられたすべての弁、原水供給ポンプ５１、浄水送水ポンプ５２、前記浄水貯留部２に設けられた浄水液面検知器５３および前記薬液貯留部３に設けられた薬液液面検知器５４と、前記処理部との間を電気的に接続するものである。
前記処理部は、カレンダータイマからの電気信号、浄水液面検知器５３および薬液液面検知器５４からの水位データに基づいて、前記配管に設けられた弁の開閉およびポンプの運転の開始、停止を制御するものである。
【００１７】
なお、この処理部は専用のハードウエアにより実現されるものであってもよく、また、この処理部はメモリおよび中央演算装置（ＣＰＵ）によって構成され、処理部の機能を実現するためのプログラムをメモリにロードして実行することによりその機能を実現させるものであってもよい。
また、前記制御機構には、周辺機器として、入力装置、表示装置等が接続されるものとする。ここで、入力装置とは、ディスプレイタッチパネル、スイッチパネル、キーボード等の入力デバイスのことをいい、表示装置とは、ＣＲＴや液晶表示装置のことをいう。
【００１８】
前記浄水部１に用いられる逆浸透膜としては、浄水システムで通常使用されている逆浸透膜を用いればよく、特に限定はされない。その素材としては、例えば、ポリアミド、ポリスルフォン、セルロースアセテートなどが挙げられる。
また、逆浸透膜の浄水部１内への収納形態も特に限定はされず、逆浸透膜を透過した浄水と逆浸透膜を透過しない原水とを分離できる形態であればよい。
なお、図示例の浄水システムでは、浄水の製造に逆浸透膜を用いているが、本発明はこれに限定されるものではなく、平膜、中空糸膜などの濾過膜、イオン交換樹脂などを用いてもよい。
【００１９】
前記原水供給弁３１、浄水移送弁３２、原水排出弁３３、調圧弁３４、浄水取出弁３５、薬液調製弁３６、薬液供給弁３８、薬液返送弁３９、洗浄水排出弁４０、薬液返送弁４１、薬液排出弁４２および薬液排出弁４３に使用される弁としては、前記制御機構からの制御によって弁の開閉、流量の調節を行うことができるものであればよく、例えば、電磁弁、電動弁などが挙げられる。
また、前記原水供給ポンプ５１および浄水送水ポンプ５２に使用される高圧ポンプとしては、浄水処理システムで通常使用されているものであればよく、特に限定はされないが、例えば、多段渦巻ポンプ、プランジャーポンプなどが挙げられる。
【００２０】
次に、この浄水システムを用いた浄水の製造方法について説明する。
浄水製造時には、原水供給弁３１、浄水移送弁３２、原水排出弁３３、調圧弁３４および浄水取出弁３５は開かれ、薬液調製弁３６、薬液供給弁３８、薬液返送弁３９、洗浄水排出弁４０、薬液返送弁４１、薬液排出弁４２および浄水排出弁４３は閉じられている。
【００２１】
浄水システム外から原水供給ライン１１を通って供給された原水は、原水供給ポンプ５１によって昇圧された後、浄水部１に供給される。浄水部１に供給された原水の一部は、逆浸透膜を透過して浄水となり、浄水移送ライン１２を通って浄水貯留部２に貯留される。また、浄水部１の逆浸透膜を透過しなかった残りの原水は原水排出ライン１３を通って浄水システム外に排出される。このとき、浄水部１内の原水圧力の調整は、調圧弁３４によって行われる。
【００２２】
浄水貯留部２に貯留された浄水は、浄水送水ポンプ５２を駆動させることによって浄水取出ライン１５から浄水システム外に取り出され、浄水システム外の各端末部へと供給される。
また、浄水貯留部２に貯留された浄水は、常時駆動されている浄水送水ポンプ５２によって、浄水取出ライン１５から取り出された後、浄水循環ライン１４を経て浄水貯留部２に返送されており、絶えず流動状態にある。さらに、浄水貯留部２に貯留された浄水は、浄水貯留部２に設けられた紫外線ランプ５５によって、常時殺菌処理されている。
【００２３】
浄水貯留部２の浄水液面検知器５３によって検知される浄水の水位が上限に達すると、浄水液面検知器５３からの信号に基づき、制御機構によって原水供給ポンプ５１の運転が停止され、原水供給弁３１が閉じられて、浄水の製造が自動的に停止される。
また、休日などの浄水を使わない日を、制御機構のカレンダータイマに設定しておくと、設定された日時に制御機構によって原水供給ポンプ５１の運転を停止し、原水供給弁３１を閉じて、浄水の製造を自動的に停止させることも可能である。
【００２４】
次に、浄水システムの洗浄方法について説明する。
まず、休日などの浄水を使わない日の任意の時刻を、浄水システムの洗浄開始時間として制御機構のカレンダータイマに設定する。
カレンダータイマに設定された日時になると、制御機構によって原水供給ポンプ５１の運転が停止され、原水供給弁３１が閉じられて、浄水の製造が自動的に停止される。ついで、制御機構によって浄水取出弁３５が閉じられる。
【００２５】
浄水の製造停止後、制御機構によって薬液調製弁３６が開かれ、薬液調製ライン１６から薬液貯留部３へ原水が注水されると同時に、吸引器３７を流れる原液の流れを利用して、薬液容器５６内の薬液原液が薬液原液供給ライン１７から吸引されて薬液貯留部３に供給され、薬液の調製が自動的に行われる。
薬液貯留部３の薬液液面検知器５４によって検知される薬液の水位が所定の位置に達すると、薬液液面検知器５４からの信号に基づき、制御機構によって薬液調製弁３６が閉じられ、薬液の調製が自動的に終了される。
【００２６】
薬液の調製後、制御機構によって薬液供給弁３８が開かれ、原水供給ポンプ５１の運転が開始されて、薬液貯留部３の薬液が薬液供給ライン１８から浄水部１に供給されると同時に、浄水移送弁３２と原水排水弁３３が閉じられ、薬液返送弁３９と薬液返送弁４１が開かれて、浄水部１に供給された薬液が第一の薬液返送ライン１９と第二の薬液返送ライン２１を通って薬液貯留部３に返送される。このように薬液貯留部３と浄水部１との間で薬液を所定時間循環させることによって、浄水部１が薬液で自動的に洗浄される。
【００２７】
引き続き浄水貯留部２の洗浄を行わない場合には、制御機構によって薬液供給弁３８、薬液返送弁３９および薬液返送弁４１が閉じられ、薬液の循環が停止されると同時に、原水供給弁３１、原水排水弁３３および洗浄水排出弁４０が開かれて、浄水部１に残った薬液が原水および浄水によって原水排出ライン１３と洗浄水排出ライン２０から洗い流される。また同時に、制御機構によって薬液排出弁４２が開かれて、薬液貯留部３に残った薬液が薬液排出ライン２２から浄水システム外へ排出される。
所定時間リンス運転を行って浄水部１から薬液を洗い流した後、制御機構によって洗浄水排出弁４０と薬液排出弁４２が閉じられ、浄水移送弁３２と浄水取出弁３５が開かれて、浄水システムの運転は通常の浄水製造運転に自動的に戻る。
【００２８】
一方、浄水部１の洗浄に引き続き、浄水貯留部２の洗浄を行う場合には、薬液貯留部３と浄水部１との間で薬液を所定時間循環させた後、制御機構によって薬液返送弁３９が閉じられ、薬液の循環が停止されると同時に、浄水移送弁３２が開かれて、薬液貯留部３および浄水部１の薬液が浄水移送ライン１２から浄水貯留部２に送液される。薬液の排出完了を薬液液面検知器５４によって検知すると、制御機構によって薬液供給弁３８が閉じられ、原水供給ポンプ５１の運転が停止されて、薬液の送液が自動的に停止される。
【００２９】
ついで、浄水貯留部２に残った浄水と薬液との混合液を浄水貯留部２と浄水循環ライン１４の間で所定時間循環させて、浄水貯留部２の洗浄が自動的に行われる。浄水貯留部２の洗浄後、制御機構によって、浄水排出弁４３が開かれて、浄水貯留部２の薬液が浄水排出ライン２３から浄水システム外に自動的に排出される。薬液の排出完了を浄水液面検知器５３によって検知すると、制御機構によって浄水送水ポンプ５２の運転が停止され、浄水排出弁４３が閉じられて、薬液の排出が自動的に停止される。
【００３０】
薬液の排出後、制御機構によって原水供給弁３１および洗浄水排出弁４０が開かれ、浄水移送弁３２が閉じられ、原水供給ポンプ５１の運転が開始されて、浄水部１に残った薬液が原水および浄水によって原水排出ライン１３と洗浄水排出ライン２０から洗い流される。
所定時間リンス運転を行って浄水部１から薬液を洗い流した後、制御機構によって洗浄水排出弁４０が閉じられ、浄水移送弁３２が開かれて、浄水部１を透過した浄水が浄水移送ライン１２を通って浄水貯留部２へと自動的に移送される。
【００３１】
浄水貯留部２の浄水液面検知器５３によって検知される浄水の水位が上限に達すると、浄水液面検知器５３からの信号に基づき、制御機構によって原水供給ポンプ５１の運転が停止され、原水供給弁３１が閉じられて、浄水の製造が自動的に停止される。
ついで、制御機構によって浄水送水ポンプ５２の運転を開始させ、浄水貯留部２と浄水循環ライン１４の間で浄水を所定時間循環させることによって、浄水貯留部２がリンス洗浄される。
【００３２】
浄水貯留部２のリンス洗浄後、制御機構によって浄水排出弁４３が開かれて、浄水貯留部２の浄水が浄水排出ライン２３から浄水システム外に自動的に排出される。浄水の排出完了を浄水液面検知器５３によって検知すると、制御機構によって浄水送水ポンプ５２の運転が停止され、浄水排出弁４３が閉じられて、浄水の排出が自動的に停止される。
【００３３】
ついで、制御機構によって原水供給弁３１が開かれ、原水供給ポンプ５１の運転が開始されて、浄水の製造が自動的に開始される。浄水部１を透過した浄水は浄水移送ライン１２を通って浄水貯留部２に貯留される。
浄水貯留部２の浄水液面検知器５３によって検知される浄水の水位が所定の水位に達すると、浄水液面検知器５３からの信号に基づき、制御機構によって浄水取出弁３５が開かれ、浄水送水ポンプ５２の運転が開始されて、浄水システムの運転は通常の浄水製造運転に自動的に戻る。
【００３４】
浄水システムの洗浄方法に用いられる薬液としては、通常の浄水システムの洗浄、消毒で使用される薬液を用いればよく、例えば、ホルマリン、次亜塩素酸、過酸化水素、過酢酸などが挙げられる。ただし、逆浸透膜の素材としてポリアミドを用いた場合、膜の劣化を防ぐために次亜塩素酸等の塩素系の薬液を使用しないことが好ましい。さらに、原水として水道水を用いる場合には、浄水システムに供給する前に活性炭等で水道水中の残留塩素を取り除くことが好ましい。
また、これら薬液の代わりにクリーニング剤を用いると、逆浸透膜の表面のクリーニングを行うことができる。
【００３５】
なお、図示例の浄水システムでは、薬液貯留部３は浄水部１よりも上流側に設けられており、浄水システムの洗浄は浄水部１、浄水貯留部２の順番で行われているが、本発明の浄水システムは特にこの形態に限定されるものではない。例えば、薬液貯留部を浄水貯留部の下流側に設けて、浄水貯留部、浄水部の順番で洗浄してもよく、浄水部および浄水貯留部それぞれに薬液貯留部を接続して、浄水部と浄水貯留部を別々に洗浄してもよい。また、浄水部に平膜、中空糸膜等の濾過膜を用いた場合は、浄水部よりも下流側に薬液貯留部を設けて、濾過膜を逆洗することも可能である。
【００３６】
このような浄水システムの洗浄方法によれば、カレンダータイマを有する制御機構によって、前記浄水部１への原水の供給開始と、前記浄水部１への原水の供給停止と、前記薬液貯留部３から前記浄水部１および前記浄水貯留部２への薬液の供給開始と、前記浄水部１または前記浄水貯留部２からの薬液および浄水の排出開始とを、前記カレンダータイマに設定された任意の日時に行わせているので、浄水部１および浄水貯留部２の洗浄を任意の日時に自動的に行うことができる。
【００３７】
【発明の効果】
以上説明したように、本発明の浄水システムは、原水の浄化を行う浄水部と、この浄水部で浄化された浄水を貯留する浄水貯留部と、洗浄用の薬液を貯留する薬液貯留部と、カレンダータイマを有する制御機構とを具備してなり、前記制御機構が、前記浄水部への原水の供給開始と、前記浄水部への原水の供給停止と、前記薬液貯留部から前記浄水部および前記浄水貯留部への薬液の供給開始と、前記浄水部または前記浄水貯留部からの薬液および浄水の排出開始とを、前記カレンダータイマに設定された任意の日時に行わせることができるので、浄水の製造開始、浄水の製造停止、浄水部および浄水貯留部の洗浄を任意の日時に自動的に行うことができ、浄水システムの洗浄に必要な労力を削減することができる。
【００３８】
また、本発明の浄水システムの洗浄方法は、原水の浄化を行う浄水部と、この浄水部で浄化された浄水を貯留する浄水貯留部と、洗浄用の薬液を貯留する薬液貯留部と、カレンダータイマを有する制御機構とを具備してなる浄水システムの洗浄方法であって、前記カレンダータイマに設定された任意の日時に、前記浄水部への原水の供給を前記制御機構によって自動的に停止させて、浄水の製造を中止し、前記薬液貯留部から前記浄水部および前記浄水貯留部への薬液の供給を前記制御機構によって自動的に開始させて、薬液による前記浄水部および前記浄水貯留部の洗浄を所定時間行っているので、浄水部および浄水貯留部の洗浄を任意の日時に自動的に行うことができ、浄水システムの洗浄に必要な労力を削減することができる。
【図面の簡単な説明】
【図１】  本発明の浄水システムの一例を示す概略構成図である。
【符号の説明】
１  浄水部
２  浄水貯留部
３  薬液貯留部
【図１】
0004361984.tif 000002